(57)【要約】      （修正有）【課題】入球口を有するユニット部品におけるスペース効率を向上させ、また装飾性、演出性を向上させることが可能な弾球遊技機を提供する。【解決手段】遊技盤の前側の遊技領域１９内に配置された入球口５１〜５３と、これら入球口５１〜５３に入球した遊技球を遊技盤の後側へ案内する排出通路とを備えた弾球遊技機で、例えば２つの入球口５１，５２に入球した遊技球を、遊技盤の前側で１つの合流球案内通路９６に合流させて排出通路に案内するように構成する。【選択図】図２
2014079356.tif 000002
【特許請求の範囲】
【請求項１】
遊技盤の前側の遊技領域内に配置された入球口と、前記入球口に入球した遊技球を前記遊技盤の後側へ案内する排出通路とを備えた弾球遊技機において、複数の前記入球口に入球した遊技球を、前記遊技盤の前側で１つの合流球案内通路に合流させて前記排出通路に案内するように構成したことを特徴とする弾球遊技機。
【請求項２】
前記遊技盤の前面側に前向き開口状に設けられ且つ前記排出通路に連通する排出口と、前記入球口に入球した遊技球を前記合流球案内通路に案内する入球案内通路とを備え、前記合流球案内通路は前記入球案内通路から流入した遊技球を前記排出口に案内するように構成されていることを特徴とする請求項１に記載の弾球遊技機。
【請求項３】
前記遊技盤の前面に沿って配置されるベース体に前記排出口を設け、前記入球案内通路を、前記ベース体の前面に沿って配置したことを特徴とする請求項２に記載の弾球遊技機。
【請求項４】
少なくとも１つの前記入球案内通路の後側に発光体を配置したことを特徴とする請求項３に記載の弾球遊技機。
【請求項５】
前記ベース体の前側に着脱可能に装着される前装着体を備え、前記入球案内通路と前記合流球案内通路とを前記前装着体に設けたことを特徴とする請求項３又は４に記載の弾球遊技機。
【請求項６】
第１入球案内通路と第２入球案内通路とを備え、前記第１入球案内通路の前記合流球案内通路への合流位置と前記第２入球案内通路の前記合流球案内通路への合流位置とを前後にずらしたことを特徴とする請求項１〜５の何れかに記載の弾球遊技機。
【請求項７】
前記第１入球案内通路内を流下する遊技球を前側に誘導する前誘導部を、前記遊技盤の前面に沿って配置されるベース体に設け、前記第２入球案内通路内を流下する遊技球を後側に誘導する後誘導部を、前記ベース体の前側に着脱可能に装着される前装着体に設けたことを特徴とする請求項６に記載の弾球遊技機。
【請求項８】
前記合流球案内通路に対して右側から上斜め第１角度で合流する第１入球案内通路と、前記合流球案内通路に対して左側から上斜め第２角度で合流する第２入球案内通路とを備え、前記第１角度と前記第２角度とを異ならせたことを特徴とする請求項１〜７の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機では、遊技盤の前側の遊技領域に複数の入賞口（入球口）が配置されている。各入賞口は、遊技盤に対して着脱自在に装着されるユニット部品上に設けられているが、１つのユニット部品上に複数の入賞口が設けられている場合も多い。
【０００３】
例えば特許文献１に記載の発明では、１つの普通入賞口ユニット上に４つの普通入賞口が一列状に配置されており、各入賞口に入賞した遊技球は、それら各入賞口の後側に前後方向貫通状に形成された個別の排出通路を介して遊技盤の後側に案内されるようになっている。
【先行技術文献】
【特許文献】
【０００４】
【特許文献１】特開２０１１−１８９２０９号公報
【発明の概要】
【発明が解決しようとする課題】
【０００５】
例えば複数の入賞口を１つのユニット部品上に設ける場合、特許文献１に記載の発明のような従来の弾球遊技機では、入賞口に入賞した遊技球を、各入賞口の後側に配置された個別の排出通路を介して遊技盤の後側に案内するようになっているため、通路配置が煩雑となってスペース効率が悪く、部品小型化等の足かせとなっていた。また、入賞口と排出通路とが前後に対応しているため、入賞口の後側にＬＥＤ基板等を配置することができず、装飾性、演出性に劣る欠点もあった。
【０００６】
本発明は上記事情に鑑みてなされたものであり、入球口を有するユニット部品におけるスペース効率を向上させ、また装飾性、演出性を向上させることが可能な弾球遊技機を提供することを目的とする。
【課題を解決するための手段】
【０００７】
本発明は、遊技盤１５の前側の遊技領域１９内に配置された入球口５１〜５３と、前記入球口５１〜５３に入球した遊技球を前記遊技盤１５の後側へ案内する排出通路７６とを備えた弾球遊技機において、複数の前記入球口５１〜５３に入球した遊技球を、前記遊技盤１５の前側で１つの合流球案内通路９６に合流させて前記排出通路７６に案内するように構成したものである。
【０００８】
また、前記遊技盤１５の前面側に前向き開口状に設けられ且つ前記排出通路７６に連通する排出口７３と、前記入球口５１〜５３に入球した遊技球を前記合流球案内通路９６に案内する入球案内通路９７，９８，１０８とを備え、前記合流球案内通路９６は前記入球案内通路９７，９８，１０８から流入した遊技球を前記排出口７３に案内するように構成してもよい。
【０００９】
この場合、前記遊技盤１５の前面に沿って配置されるベース体７１に前記排出口７３を設け、前記入球案内通路９７，９８，１０８を、前記ベース体７１の前面に沿って配置してもよい。そして、少なくとも１つの前記入球案内通路９７，９８，１０８の後側に発光体８２を配置してもよい。
【００１０】
また、前記ベース体７１の前側に着脱可能に装着される前装着体６２を備え、前記入球案内通路９７，９８，１０８と前記合流球案内通路９６とを前記前装着体６２に設けてもよい。
【００１１】
また、第１入球案内通路９７と第２入球案内通路９８とを備え、前記第１入球案内通路９７の前記合流球案内通路９６への合流位置と前記第２入球案内通路９８の前記合流球案内通路９６への合流位置とを前後にずらしてもよい。この場合、前記第１入球案内通路９７内を流下する遊技球を前側に誘導する前誘導部１０６を、前記遊技盤１５の前面に沿って配置されるベース体７１に設け、前記第２入球案内通路９８内を流下する遊技球を後側に誘導する後誘導部１０７を、前記ベース体７１の前側に着脱可能に装着される前装着体６２に設けてもよい。
【００１２】
また、前記合流球案内通路９６に対して右側から上斜め第１角度で合流する第１入球案内通路９７と、前記合流球案内通路９６に対して左側から上斜め第２角度で合流する第２入球案内通路９８とを備える場合、前記第１角度と前記第２角度とを異ならせてもよい。
【発明の効果】
【００１３】
本発明によれば、入球口を有するユニット部品におけるスペース効率を向上させ、また装飾性、演出性を向上させることが可能である。
【図面の簡単な説明】
【００１４】
【図１】本発明の第１の実施形態におけるパチンコ機の全体正面図である。
【図２】同パチンコ機の左普通入賞口ユニットの正面断面図である。
【図３】同パチンコ機の左普通入賞口ユニットの斜視図である。
【図４】同パチンコ機の左普通入賞口ユニットの斜視図である。
【図５】同パチンコ機の左普通入賞口ユニットの分解斜視図である。
【図６】同パチンコ機の左普通入賞口ユニットの平面断面図である。
【図７】同パチンコ機の左普通入賞口ユニットの合流球案内通路上での側面断面図である。
【図８】同パチンコ機の左普通入賞口ユニットの第２普通入賞口上での側面断面図である。
【図９】同パチンコ機の左普通入賞口ユニットの入賞球経路を示す模式図である。
【図１０】本発明の第２の実施形態におけるパチンコ機の左普通入賞口ユニットの正面断面図である。
【図１１】本発明の第３の実施形態におけるパチンコ機の左普通入賞口ユニットの正面断面図である。
【図１２】本発明の第４の実施形態におけるパチンコ機の左普通入賞口ユニットの正面断面図である。
【発明を実施するための形態】
【００１５】
以下、本発明の実施形態を図面に基づいて詳述する。図１〜図９は本発明をパチンコ機に採用した第１の実施形態を例示している。図１において、遊技機本体１は、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【００１６】
前面板６の前側には、発射用の遊技球を貯留する球供給皿８と、余剰球を貯留する球受け皿９とが上下に配置され、それらの側方に遊技球を発射する発射手段（図示省略）の発射ハンドル１０が設けられている。球供給皿８、球受け皿９は前面板６に装着され、前側から上部皿カバー１１、下部皿カバー１２により覆われている。
【００１７】
上部皿カバー１１の前中央部には、前斜め上向きに演出用操作ボタンを兼用する回転演出手段１３が配置され、その左側にもう一つの演出用操作ボタンであるチャンスボタン１４が配置されている。ガラス扉５の裏側には、このガラス扉５に対応するように遊技盤１５が前枠４に対して着脱自在に装着されている。
【００１８】
遊技盤１５の前側には、発射手段により発射された遊技球を案内するガイドレール１８が略環状に配置されており、そのガイドレール１８内の遊技領域１９には、表示ユニット２０、ゲートユニット２１、始動入賞口ユニット２２、大入賞口ユニット２３、左右２つの普通入賞口ユニット２４，２５等のユニット部品の他、多数の遊技釘２６（図２等）が配置されている。
【００１９】
ガイドレール１８は、例えば金属板、プラスチック等により形成され、遊技盤１５の前面側に立設されている。ガイドレール１８は、外レール１８ａとその内側の内レール１８ｂとが一部内外に重なるように配置されており、それら外レール１８ａと内レール１８ｂとの間に、発射手段により発射された遊技球を遊技領域１９に案内する発射案内通路２７が形成されている。また、遊技領域１９の最下部には、アウト球を遊技盤１５の後側に排出するためのアウト口２８が、内レール１８ｂの内側に対応して設けられている。
【００２０】
表示ユニット２０は、例えば遊技領域１９の左右方向略中央における上部側に配置され、例えば遊技盤１５の裏側に装着される液晶式等の画像表示手段３１と、画像表示手段３１用の表示窓３２を備え且つ遊技盤１５に設けられた表示ユニット装着孔（図示省略）に前側から着脱自在に装着される表示枠体３３とを備えている。表示枠体３３上には、例えば普通図柄を変動表示する普通図柄表示手段３４、特別図柄を変動表示する特別図柄表示手段３５等が配置されている。画像表示手段３１上では、例えば特別図柄と同期して演出図柄が変動表示される等、遊技状態に応じて種々の演出画像等が表示される。
【００２１】
ゲートユニット２１は、普通図柄表示手段３４の始動手段を構成するもので、例えば表示ユニット２０の左側に配置されており、遊技球が通過可能な通過ゲート３６と、この通過ゲート３６を通過する遊技球を検出する通過検出スイッチ３７とを備えている。遊技球が通過ゲート３６を通過し、通過検出スイッチ３７がその通過を検出すると、それに基づいて当たり抽選が行われ、その当たり抽選結果に基づいて普通図柄表示手段３４による普通図柄の変動表示が行われる。なお、このゲートユニット２１は、遊技盤１５に設けられたゲートユニット装着孔（図示省略）に対して前側から着脱自在に装着され、遊技盤１５に対してねじ止め等により固定されている。
【００２２】
始動入賞口ユニット２２は、特別図柄表示手段３５の始動手段を構成するもので、例えば表示ユニット２０の下側の左右方向略中央に配置されており、遊技球が入賞可能な上部入賞口３８及び下部入賞口３９と、下部入賞口３９を開閉する左右一対の開閉爪４０と、入賞口３８，３９に入賞した遊技球を検出する入賞検出スイッチ４１，４２とを備えている。開閉爪４０は、上部入賞口３８の下側で左右に開口する下部入賞口３９に対応して例えば前後軸廻りに揺動可能に設けられ、下部入賞口３９を遊技球が入賞可能な開状態と入賞不可能な閉状態とに切り替え可能となっており、当たり抽選で当選することにより普通図柄が当たり態様で停止した場合に所定のパターンで閉状態から開状態に変化するようになっている。
【００２３】
遊技球が上部入賞口３８又は下部入賞口３９に入賞し、入賞検出スイッチ４１又は入賞検出スイッチ４２がその遊技球を検出すると、規定数の賞球が球供給皿８に払い出されると共に、所定のタイミングで大当たり抽選が行われ、その大当たり抽選結果に基づいて特別図柄表示手段３５による特別図柄の変動表示が行われる。なお、この始動入賞口ユニット２２は、遊技盤１５に設けられた始動入賞口ユニット装着孔（図示省略）に対して前側から着脱自在に装着され、遊技盤１５に対してねじ止め等により固定されている。
【００２４】
大入賞口ユニット２３は、例えば始動入賞口ユニット２２とその下側のアウト口２８との間に配置されており、遊技球が入賞可能な大入賞口４３と、例えば下部側の横軸廻りに揺動可能に設けられ且つ大入賞口４３を開閉する開閉板４４と、大入賞口４３に入賞した遊技球を検出する入賞検出スイッチ４５とを備えている。開閉板４４は、大当たり抽選で当選することにより特別図柄が大当たり態様で停止した場合に所定のパターンで前側に開放して、その上に落下してきた遊技球を大入賞口４３内に案内するようになっている。遊技球が大入賞口４３に入賞し、入賞検出スイッチ４５がその遊技球を検出すると、規定数の賞球が球供給皿８に払い出される。なお、この大入賞口ユニット２３は、遊技盤１５に設けられた大入賞口ユニット装着孔（図示省略）に対して前側から着脱自在に装着され、遊技盤１５に対してねじ止め等により固定されている。
【００２５】
普通入賞口ユニット２４，２５は、例えば内レール１８ｂの内側に沿って大入賞口ユニット２３の左右に配置されている。大入賞口ユニット２３の左側に配置されている左普通入賞口ユニット２４は、第１〜第３普通入賞口５１〜５３と、第１普通入賞口５１と第２普通入賞口５２との何れかに入賞した遊技球を検出する第１普通入賞検出スイッチ５４と、第３普通入賞口５３に入賞した遊技球を検出する第２普通入賞検出スイッチ５５とを備えており、大入賞口ユニット２３の右側に配置されている右普通入賞口ユニット２５は、第４，第５普通入賞口５６，５７と、第４普通入賞口５６に入賞した遊技球を検出する第３普通入賞検出スイッチ５８と、第５普通入賞口５７に入賞した遊技球を検出する第４普通入賞検出スイッチ５９とを備えている。遊技球が第１〜第５普通入賞口５１〜５３，５６，５７の何れかに入賞し、第１〜第４普通入賞検出スイッチ５４，５５，５８，５９の何れかがその遊技球を検出すると、規定数の賞球が球供給皿８に払い出される。
【００２６】
以下、左普通入賞口ユニット２４の具体的構造について、図２〜図９を参照しつつ詳述する。左普通入賞口ユニット２４は、遊技盤１５に設けられた左普通入賞口ユニット装着孔６０に対して前側から着脱自在に装着されるユニット本体６１と、このユニット本体６１の前側に着脱自在に装着される２つの入賞口部材６２，６３とを備えており、ユニット本体６１の例えば下端部近傍に配置される下入賞口部材６２上に第１，第２普通入賞口５１，５２が、ユニット本体６１の例えば長手方向略中央に配置される上入賞口部材６３上に第３普通入賞口５３がそれぞれ設けられ、またユニット本体６１上に第１，第２普通入賞検出スイッチ５４，５５が設けられている。
【００２７】
ユニット本体６１は、内レール１８ｂの内側に沿って正面視略弓形に形成されており、前ケース体６４と、その前ケース体６４の後側に装着される後カバー６５とを備え、それら前ケース体６４と後カバー６５との間に形成される発光空間６６内に、内レンズ体６７、ＬＥＤ基板６８等が配置されている。
【００２８】
前ケース体６４は、例えばその全体が透光性を有する合成樹脂製で、左普通入賞口ユニット装着孔６０を前側から塞ぐように遊技盤１５の前面に沿って配置されるベース板（ベース体）７１と、左普通入賞口ユニット装着孔６０の内周面に略沿うようにベース板７１の裏側に突設される周壁７２とを一体に備え、周壁７２を左普通入賞口ユニット装着孔６０に前側から挿入し、ベース板７１を遊技盤１５の前面に当接させた状態で、遊技盤１５に対してねじ止め等により固定されている。
【００２９】
ベース板７１は、その外周部分が左普通入賞口ユニット装着孔６０よりも外側に張り出す鍔部７１ａとなっており、この鍔部７１ａが左普通入賞口ユニット装着孔６０の外側で遊技盤１５の前面に当接している。また、ベース板７１には、例えば２つの排出口７３，７４が、それぞれ遊技球が１個通過可能な大きさで前後方向貫通状に形成されている。下側の下排出口７３は、下入賞口部材６２の配置位置に対応してユニット本体６１の下端部近傍に設けられ、また上排出口７４は、上入賞口部材６３の配置位置に対応してユニット本体６１の長手方向略中央に設けられている。
【００３０】
更にベース板７１の前面側には、例えばその上端部近傍に前向きの突出部７５が形成されている。この突出部７５は、例えば正面視三角形状に形成されており、その上面側が、内レール１８ｂに沿って流下する遊技球を遊技領域１９の内側に向けて案内する傾斜案内面７５ａとなっている。
【００３１】
周壁７２は、左普通入賞口ユニット装着孔６０の内周面の略全周に対応して設けられており、その内側に、排出口７３，７４に流入した遊技球を後ろ向きに案内する例えば断面略Ｕ字状の排出通路７６，７７が、排出口７３，７４の後側に対応してそれぞれベース板７１の裏側に後ろ向き突出状に一体形成されている。排出通路７６，７７内には、例えばその底壁上に、上縁部が後ろ下がりの傾斜状に形成された前後方向の案内リブ７６ａ，７７ａが突設されており、この案内リブ７６ａ，７７ａが遊技球を後ろ向きに案内するようになっている。なお、排出通路７６，７７内を除く周壁７２の内側の空間が発光空間６６となっている。また、ベース板７１の裏側には、後カバー６５をねじ止め固定するための複数のねじ止め基部７８が例えば周壁７２の内周に沿って後ろ向きに突設されている。
【００３２】
内レンズ体６７は、例えばその全体が透光性を有する合成樹脂製で、前ケース体６４上の周壁７２、排出通路７６，７７及びねじ止め基部７８の各内周面、即ち発光空間６６側の面に沿って配置される内周壁７９と、ベース板７１の裏側に沿って内周壁７９の前縁部内側に配置される内レンズ部８０とを一体に備えており、前ケース体６４の後側から発光空間６６内にはめ込まれている。内レンズ部８０は、内周壁７９の前縁よりも僅かに後方の位置に配置され、それによって内レンズ部８０の前側には一定深さの凹部８０ａが形成されており、この凹部８０ａ内に、例えば任意の模様等がプリントされた透光性を有する装飾シート８１がはめ込まれている。
【００３３】
ＬＥＤ基板６８は、発光空間６６の略全体に対応する形状に形成され、その前面側に複数のＬＥＤ（発光体の一例）８２が配置されており、例えば前ケース体６４と後カバー６５とで前後に挟持されることにより内レンズ体６７の後側に固定されている。
【００３４】
後カバー６５は、前ケース体６４の周壁７２の内側を後側から略塞ぐ蓋部材で、ベース板７１と平行な背壁８３と、前ケース体６４側の周壁７２に略対応するように背壁８３の外周側から前向きに突設される後周壁８４とを一体に備えており、背壁８３上に設けられた複数のねじ止め孔８５を介して固定ねじ８６を前ケース体６４側のねじ止め基部７８にねじ込むことにより前ケース体６４の後側に着脱自在に装着されている。なお、左普通入賞口ユニット２４を左普通入賞口ユニット装着孔６０に前側から装着したとき、この後カバー６５の背面側が遊技盤１５の背面と略面一になるように形成されている（図６〜図８）。
【００３５】
また、後カバー６５の背面側には、排出通路７６，７７の後端部に対応してそれぞれ裏排出通路８７，８８が一体に設けられると共に、第１，第２普通入賞検出スイッチ５４，５５、１又は複数（ここでは２つ）の磁気センサ８９，９０が着脱自在に装着されている。裏排出通路８７，８８は、排出通路７６，７７により後ろ向きに案内されてきた遊技球を遊技盤１５の後側で例えば下向きに排出するもので、その上流側端部８７ａ，８８ａが背壁８３上で前向きに開口して排出通路７６，７７の後端側に連通し、下流側端部８７ｂ，８８ｂは背壁８３の背面側に沿って例えば下向きに開口している。
【００３６】
第１，第２普通入賞検出スイッチ５４，５５は、排出通路７６，７７等を介して遊技盤１５の裏側に案内されてきた遊技球を検出するもので、例えば遊技球が通過する際の検出コイルのインピーダンス変化によって遊技球の通過を検出可能な近接センサにより構成されており、それぞれ裏排出通路８７，８８の下流側端部８７ｂ，８８ｂに対応して例えばその下側に配置され、背壁８３の裏側に設けられたスイッチ装着部５４ａ，５５ａにより着脱自在に保持されている。
【００３７】
磁気センサ８９，９０は、磁石を用いたゴト行為を未然に防止すべく配置されるもので、例えば後カバー６５の上下両端部の近傍に配置され、背壁８３の裏側に設けられたセンサ装着部８９ａ，９０ａにより着脱自在に保持されている。
【００３８】
上入賞口部材６３は、遊技球が入賞可能な第３普通入賞口５３と、この第３普通入賞口５３に入賞した遊技球を上排出口７４側に案内する入賞球案内通路９１とを構成するもので、上部側が第３普通入賞口５３、下部側が入賞球案内通路９１を構成する正面視略Ｕ字状の樋状壁９２と、その樋状壁９２の前側を閉鎖する前飾り板９３とを一体に備えており、入賞球案内通路９１の後端側が上排出口７４の前側に連通するように、所定の固定手段によりベース板７１の前側に着脱自在に固定されている。入賞球案内通路９１の底壁上には、上縁部が後ろ下がりの傾斜状に形成された前後方向の案内リブ９５が突設されており、この案内リブ９５が遊技球を後ろ向きに案内するようになっている。
【００３９】
なお、この上入賞口部材６３をベース板７１の前側に固定する固定手段は、例えば樋状壁９２の左右一方側から後ろ向きに突設された係合爪９４ａと、樋状壁９２の左右他方側に対応してその外面側に設けられたねじ止め基部９４ｂと、前ケース体６４上に設けられ且つ係合爪９４ａが前側から係脱自在に係合可能な係合受け部９４ｃと、ベース板７１の後側からねじ止め基部９４ｂにねじ込まれる固定ねじ９４ｄ等により構成されている。
【００４０】
下入賞口部材（前装着体）６２は、遊技球が入賞可能な第１，第２普通入賞口（入球口）５１，５２と、第１，第２普通入賞口５１，５２に入賞した遊技球を下排出口（排出口）７３側に案内する合流球案内通路９６と、第１，第２普通入賞口５１，５２に入賞した遊技球をそれぞれ合流球案内通路９６に案内する第１，第２入球案内通路９７，９８とを構成するもので、合流球案内通路９６を構成する正面視略Ｕ字状の樋状壁９９と、ベース板（ベース体）７１に略垂直に配置され且つ第１入球案内通路９７及び第１普通入賞口５１を構成する一対の内第１通路壁１０１ａ及び外第１通路壁１０１ｂと、ベース板７１に略垂直に配置され且つ第２入球案内通路９８及び第２普通入賞口５２を構成する一対の内第２通路壁１０２ａ及び外第２通路壁１０２ｂと、それら合流球案内通路９６，第１，第２普通入賞口５１，５２、第１，第２入球案内通路９７，９８等の前側を閉鎖する前飾り板１０３とを一体に備えており、合流球案内通路９６の後端側が下排出口７３の前側に連通するように、所定の固定手段によりベース板７１の前側に着脱自在に固定されている。
【００４１】
合流球案内通路９６の底壁上には、上縁部が後ろ下がりの傾斜状に形成された前後方向の案内リブ１０５が突設されており、この案内リブ１０５が遊技球を後ろ向きに案内するようになっている。
【００４２】
その合流球案内通路９６に対して、第１入球案内通路９７は右側から、第２入球案内通路９８は左側からそれぞれ合流し、内第１通路壁１０１ａと内第２通路壁１０２ａとは下流側端部同士が互いに連結し、外第１通路壁１０１ｂは合流球案内通路９６の右上端部に、外第２通路壁１０２ｂは合流球案内通路９６の左上端部にそれぞれ連結している。
【００４３】
一方、それら第１，第２入球案内通路９７，９８は合流球案内通路９６に対して左右非対称に配置されている。即ち図２等に示すように、第１入球案内通路９７は、その上流端側に形成された第１普通入賞口５１の開口方向と略同じ上斜め第１角度で合流球案内通路９６に合流しているのに対し、第２入球案内通路９８は、その上流端側に形成された第２普通入賞口５２の開口方向は略上向きとなっているが、途中で大きく屈曲し、下流端側は第１角度よりも水平に近い上斜め第２角度で合流球案内通路９６に合流している。これにより、内第１通路壁１０１ａと内第２通路壁１０２ａとは合流球案内通路９６よりも左側で連結しており、また合流球案内通路９６は外第１通路壁１０１ｂが連結する右上端部よりも外第２通路壁１０２ｂが連結する左上端部の方が低くなっている。
【００４４】
また、第１入球案内通路９７内には、その第１入球案内通路９７内を流下する遊技球を前後方向の一方側、例えば前側に誘導する前誘導リブ（前誘導部）１０６が配置され、第２入球案内通路９８内にはその第２入球案内通路９８内を流下する遊技球を前後方向の他方側、例えば後側に誘導する後誘導リブ（後誘導部）１０７が配置されている。前誘導リブ１０６は、例えば第１入球案内通路９７の長手方向略中央に沿ってベース板７１の前面側に前向き突出状に形成されており、後誘導リブ１０７は、例えば第２入球案内通路９８の長手方向略中央に沿って下入賞口部材６２の前飾り板１０３の背面側に後ろ向き突出状に形成されている。即ち、これら前誘導リブ１０６及び後誘導リブ１０７により、第１入球案内通路９７を流下する遊技球と第２入球案内通路９８を流下する遊技球とは合流球案内通路９６に対して前後にずれた位置で合流するようになっている。
【００４５】
また、下入賞口部材６２は、少なくとも第２入球案内通路９８上の一部が透光性を有すると共に、その第２入球案内通路９８の後側には１個以上のＬＥＤ（発光体）８２が配置されており、そのＬＥＤ８２から発せられた光により、内レンズ体６７、装飾シート８１、ベース板７１を介してその前側の第２入球案内通路９８を光らせることが可能となっている。
【００４６】
なお、この下入賞口部材６２をベース板７１の前側に固定する固定手段は、例えば樋状壁９９の左右一方側から後ろ向きに突設された係合爪１０４ａと、この係合爪１０４ａに対して下入賞口部材６２の左右反対側、例えば内第２通路壁１０２ａの外面側に設けられたねじ止め基部１０４ｂと、前ケース体６４上に設けられ且つ係合爪１０４ａが前側から係脱自在に係合可能な係合受け部１０４ｃと、ベース板７１の後側からねじ止め基部１０４ｂにねじ込まれる固定ねじ１０４ｄ等により構成されている。
【００４７】
以上説明した本実施形態のパチンコ機では、第１普通入賞口５１に入賞した遊技球は第１入球案内通路９７を経て遊技盤１５の前側で合流球案内通路９６に流入し、また第２普通入賞口５２に入賞した遊技球についても、第２入球案内通路９８を経て遊技盤１５の前側で合流球案内通路９６に流入し、共に合流球案内通路９６により後側に案内される。そして、下排出口７３を経て排出通路７６により遊技盤１５の後側に案内され、裏排出通路８７を経て遊技盤１５の裏側に排出される際に、第１普通入賞検出スイッチ５４によって検出される。
【００４８】
このように本パチンコ機では、図９に模式的に示すように、第１普通入賞口５１に入賞した遊技球と第２普通入賞口５２に入賞した遊技球とを遊技盤１５の前側で１つの合流球案内通路９６に合流させて排出通路７６により遊技盤１５の後側に案内するように構成されているため、２つの普通入賞口５１，５２に対して排出通路７６、普通入賞検出スイッチ５４等は１組設けられているだけである。従って、通路配置が単純でスペース効率がよく、特に遊技盤１５の前面よりも後側における部品配置の自由度が高くなる等の利点がある。
【００４９】
また、少なくとも１つの入球案内通路（ここでは第２入球案内通路９８）についてはその後側に排出口及び排出通路が存在しないため、その入球案内通路の後側にＬＥＤ基板６８等を配置することによって入球案内通路及びその上流側の入賞口を発光させることができ、装飾性、演出性が向上するという利点もある。
【００５０】
図１０は本発明の第２の実施形態を例示し、第１の実施形態を一部変更して、第１〜第３普通入賞口５１〜５３を１つの合流球案内通路９６に合流させて遊技盤１５の後側に案内するように構成した例を示している。
【００５１】
本実施形態の左普通入賞口ユニット２４上には、第１の実施形態と同じく３つの第１〜第３普通入賞口５１〜５３が設けられているが、第１，第２普通入賞口５１，５２だけでなく第３普通入賞口５３についても、第３入球案内通路１０８を経て合流球案内通路９６に合流するようになっている。従って、第１の実施形態における上排出口７４、排出通路７７、裏排出通路８８、第２普通入賞検出スイッチ５５等については本実施形態では省略されている。
【００５２】
また、本実施形態では、第３入球案内通路１０８はまず第２入球案内通路９８と合流し、その下流側で合流球案内通路９６に合流するように構成されている。第３入球案内通路１０８内には、その第３入球案内通路１０８内を流下する遊技球を第２入球案内通路９８側の後誘導リブ１０７による誘導方向とは反対側、例えば後側に誘導する後誘導リブ１０９が、例えばベース板７１の前面側に前向き突出状に形成されている。これにより、第２入球案内通路９８を流下する遊技球と第３入球案内通路１０８を流下する遊技球とは互いに前後にずれた位置で合流する。
【００５３】
以上のように、３つ以上の入球口に入球した遊技球を１つの合流球案内通路に合流させて遊技盤１５の後側に案内するように構成してもよい。なお、本実施形態では第３入球案内通路１０８を第２入球案内通路９８を経て合流球案内通路９６に合流させるように構成したが、３つ以上の入球案内通路をそれぞれ個別に合流球案内通路９６に合流させるように構成してもよい。
【００５４】
図１１は本発明の第３の実施形態を例示し、第２の実施形態を一部変更して第１普通入賞口５１を省略し、２つの第２，第３普通入賞口５２，５３をまず合流させ、その下流側で合流球案内通路９６に合流するように構成した例を示している。第１普通入賞口５１を省略した以外は第２の実施形態と共通である。
【００５５】
このように、２つの入球口に入球した遊技球を１つの合流球案内通路に合流させる場合についても、各案内通路９８，１０８を個別に９６に合流させるのではなく、まず１つの通路に合流させた上で合流球案内通路９６に流入するように構成してもよい。
【００５６】
図１２は本発明の第４の実施形態を例示し、異なるユニット上に設けられた複数の入球口に入球した遊技球を１つの合流球案内通路に合流させて遊技盤１５の後側に案内するように構成した例を示している。
【００５７】
本実施形態では、第２の実施形態における左普通入賞口ユニット２４が、第３普通入賞口５３が設けられた上部普通入賞口ユニット２４ａと、第１，第２普通入賞口５１，５２、排出口７３、排出通路７６、裏排出通路８７、普通入賞検出スイッチ５４等が設けられた下部普通入賞口ユニット２４ｂとに分割され、下部普通入賞口ユニット２４ｂについては大入賞口ユニット２３と一体化されているものとする。
【００５８】
そして、第３入球案内通路１０８についても上部普通入賞口ユニット２４ａ側の上流側入球案内通路１０８ａと下部普通入賞口ユニット２４ｂ側の下流側入球案内通路１０８ｂとに分断され、それらは上部普通入賞口ユニット２４ａと下部普通入賞口ユニット２４ｂとの近接位置において連通している。
【００５９】
このように本実施形態では、第１，第２普通入賞口５１，５２だけでなく、それらとは別のユニット２４ａ上に設けられた第３普通入賞口５３についても、第３入球案内通路１０８を経て合流球案内通路９６に合流するようになっている。
【００６０】
なお、本実施形態では１つの合流球案内通路に合流する複数の入球口の何れかが設けられたユニット上に、遊技球を遊技盤１５の後側に案内する排出通路等を設けた例を示したが、１つの合流球案内通路に合流する全ての入球口が設けられたユニットとは別のユニット上に排出通路等を設けてもよい。
【００６１】
以上、本発明の実施形態について詳述したが、本発明はこれらの実施形態に限定されるものではなく、本発明の趣旨を逸脱しない範囲で種々の変更が可能である。例えば、普通入賞口以外の入球口、例えば図柄変動を開始するための始動入賞口等であっても、同種の入球口であれば、それらに入球した遊技球を、遊技盤１５の前側で１つの合流球案内通路に合流させて遊技盤１５の後側に案内するように構成してもよい。
【００６２】
複数の入球口に入球した遊技球を検出する検出スイッチを例えば入賞口部材（前装着体）上に配置し、例えば合流球案内通路９６を流下する遊技球を検出するように構成してもよい。或いは、検出スイッチについては各入球口に対して個別に設けてもよい。この場合には、同種の入球口でなくても１つの合流球案内通路に合流させることができる。
【００６３】
また、本発明はパチンコ機に限らず、アレンジボール機、雀球遊技機等の他の弾球遊技機においても同様に実施することが可能である。
【符号の説明】
【００６４】
１５  遊技盤
１９  遊技領域
５１  第１普通入賞口（入球口）
５２  第２普通入賞口（入球口）
５３  第３普通入賞口（入球口）
６２  下入賞口部材（前装着体）
７１  ベース板（ベース体）
７３  下排出口（排出口）
７６  排出通路
８２  ＬＥＤ（発光体）
９６  合流球案内通路
９７  第１入球案内通路（入球案内通路）
９８  第２入球案内通路（入球案内通路）
１０６  前誘導リブ（前誘導部）
１０７  後誘導リブ（後誘導部）
１０８  第３入球案内通路（入球案内通路）
【図１】
2014079356.tif 000003
【図２】
2014079356.tif 000004
【図３】
2014079356.tif 000005
【図４】
2014079356.tif 000006
【図５】
2014079356.tif 000007
【図６】
2014079356.tif 000008
【図７】
2014079356.tif 000009
【図８】
2014079356.tif 000010
【図９】
2014079356.tif 000011
【図１０】
2014079356.tif 000012
【図１１】
2014079356.tif 000013
【図１２】
2014079356.tif 000014